(57)【要約】【課題】収容物の持ち運びの際の水平姿勢を保持して利便性・快適性を向上させることができると共に、手提げ用具としての引っ張り強度を確保することができるようにする。【解決手段】対向する側壁部２，２と、これら対向する側壁部２，２それぞれの下端と連接すると共にこれら対向する側壁部２，２に挟まれて底部を構成するガセット部１と、対向する側壁部２，２それぞれの上端からガセット部１の山折り稜線１ａの方向Ｘと直交する方向に延出する一対の把手部３，３と、対向する側壁部２，２のうちのガセット部１の山折り稜線１ａよりも上側部分の方向Ｘにおける両端部を封止する側壁封止部２ｃ，２ｃと、対向する側壁部２，２のうちのガセット部１の山折り稜線１ａよりも下側部分の方向Ｘにおける両端部を封止する側壁−ガセット封止部２ｄ，２ｄとを有するようにした。【選択図】図１
2019151418.tif 000002
【特許請求の範囲】
【請求項１】
対向する側壁部と、これら対向する側壁部それぞれの下端と連接すると共に折り畳まれた状態において前記対向する側壁部に挟まれ且つ拡げられた状態において底部を構成するガセット部と、前記対向する側壁部それぞれの上端から前記ガセット部の山折り稜線の方向Ｘと直交する方向に延出する一対の把手部と、前記対向する側壁部のうちの前記ガセット部の山折り稜線よりも下側部分の前記方向Ｘにおける両端部を封止する側壁−ガセット封止部とを有することを特徴とする手提げ用具。
【請求項２】
前記側壁−ガセット封止部に沿って前記側壁部及び前記ガセット部の角部分が裁断されていることを特徴とする請求項１記載の手提げ用具。
【請求項３】
前記折り畳まれた状態における前記ガセット部の折り返し長さＬgと前記両端部の側壁−ガセット封止部間の長さＬbとの間に ２Ｌg≧Ｌb の関係が成り立つことを特徴とする請求項１記載の手提げ用具。
【請求項４】
前記対向する側壁部のうちの前記ガセット部の山折り稜線よりも上側部分の前記方向Ｘにおける両端部を封止する側壁封止部を更に有し、前記折り畳まれた状態における前記ガセット部の折り返し長さＬgと前記両端部の側壁封止部間の長さＬ’との間に ４Ｌg≧Ｌ’の関係が成り立つことを特徴する請求項１記載の手提げ用具。
【請求項５】
前記把手部に、単数の、若しくは、前記ガセット部の山折り稜線の方向Ｘと直交する方向に複数の、貫通孔が設けられることを特徴とする請求項１記載の手提げ用具。
【請求項６】
対向する側壁部と、これら対向する側壁部それぞれと連接するガセット部と、前記対向する側壁部と前記ガセット部とが重複する部分に側壁−ガセット封止部とを有し、前記側壁−ガセット封止部に沿って前記側壁部及び前記ガセット部の角部分が裁断されていることを特徴とする手提げ用具。
【発明の詳細な説明】
【技術分野】
【０００１】
本発明は手提げ用具に関する。さらに詳述すると、本発明は、例えば弁当・惣菜・汁物やケーキ・スイーツなどの提供に用いられる包装容器を持ち運ぶ際に用いて好適な手提げ用具に関する。
【背景技術】
【０００２】
ポリエチレンなどで作られて例えば弁当・惣菜・汁物やケーキ・スイーツなどが詰められる天地無用の包装容器を持ち運ぶ際の袋として、その形状からＵバッグとも、使用場面からレジ袋やコンビニ袋とも呼ばれる手提げ袋が使用される場合が多い。
【０００３】
上記の包装容器と手提げ袋との組み合わせの場合、持ち運びに際して袋の中に収容した容器の袋内での水平姿勢の保持が非常に困難であった。
【０００４】
その原因として、従来の手提げ袋の下端には側壁同士が綴じられる熱融着封止部があり、把手と下端の熱融着封止部との間の引っ張り力の作用方向の関係で下端の熱融着封止部で折れて側壁同士が閉じ合わされ易くなっており、底部が折れ曲がって畳まれようとする傾向が強い。そして、このように袋としては底部が折れ曲がって畳まれようとする傾向が強いので、袋の中の容器の水平姿勢を保持するための袋の大きさと容器の大きさとのフィッティング範囲、言い換えると組み合わせの好適範囲が限定的であって狭い。それにもかかわらず、従来の手提げ袋は、下端の熱融着封止部の幅(長さ)で規定される袋の横幅や、襠（ガセットとも呼ばれる）を含めた袋の胴回り(胴囲)の大きさが袋個々の設計上の特定の値に固定され、袋の大きさと容器の大きさとの組み合わせが水平姿勢を保持するための好適範囲を外れることが多い。そして、袋と容器との組み合わせが好適範囲を少しでも外れると、歩行時の振動による重心移動が容器に生じたり袋の外側から運搬者の足が当たるなどの外力が容器に加わったりすることにより、袋の中で容器が容易に大きく傾き、最終的には袋底部の熱融着封止線に容器の一側面が沿う態様で容器が袋の中で垂直姿勢になってしまうという問題があった。
【０００５】
このように、側壁同士が綴じられる熱融着封止部が下端にあることと相俟って、好適範囲に入っていない手提げ袋と容器との組み合わせで使用された場合に、袋の中で容器が傾斜してしまい、容器の内容物が片寄ることで盛り付けの美観を損ねたり異なる料理の混合が起こったり、また、ソースなどの液状内容物が漏れこぼれたりするなどの不都合が生じ、利便性・快適性が高いとは言えないという問題がある。
【０００６】
上述のような問題を解決する為、以下に挙げるような、袋の中に収容した容器の水平姿勢保持の仕組みが提案されている。
【０００７】
具体的には、特許文献１のレジ袋は、図１８に示すように、袋の中に容器１０２を収容したときの底部になる部分の四隅に水平孔１０１を設け、レジ袋の中に容器１０２を収容したときに当該容器１０２の四隅が水平孔１０１に嵌って保持されるようにしている。
【０００８】
また、特許文献２のレジ袋は、図１９に示すように、周壁(側壁)１０１の、袋の中に容器を収容したときの容器の縁の位置に切れ目１０２を設け、レジ袋の中に容器を収容したときに当該容器の縁が切れ目１０２に引っ掛かって保持されるようにしている。
【先行技術文献】
【特許文献】
【０００９】
【特許文献１】実用新案登録第３１４６３５３号
【特許文献２】特開２０１０−２８５１７０号
【発明の概要】
【発明が解決しようとする課題】
【００１０】
しかしながら、特許文献１の水平姿勢保持の仕組みでは、袋に設けられた四つの水平孔に容器の四隅を嵌めることを前提にしているため、袋の中に収容する容器のサイズや形状のバリエーションに対応する汎用性に欠け、容器のサイズや形状毎にそれぞれ専用のレジ袋を、すなわち寸法が異なる多数の種類の袋を用意しなければならないという問題がある。
【００１１】
また、特許文献２の水平姿勢保持の仕組みでは、袋の中に収容する容器のサイズのバリエーションに対応する汎用性を確保する為にはレジ袋に切れ目を相当数設けなくてはならないことから、レジ袋の引っ張り強度確保と容器のサイズのバリエーションに対応する汎用性確保とがトレードオフの関係になり、汎用性を高めようとすると引っ張り強度が低下してしまうという問題がある。さらに言えば、容器の縁を引っ掛けるための切れ目を袋の周壁(側壁)に設けて容器の荷重を受けるようにすれば当該切れ目から袋が破れ易くなるのは必然であり、そもそも、袋の周壁に切れ目を一つでも設けると引っ張り強度が低下するという問題がある。さらに、縁が無いなど容器の形状によっては、レジ袋の切れ目が全く機能しない場合があり得るという問題がある。
【００１２】
そこで、本発明は、収容物の持ち運びの際の水平姿勢を保持して利便性・快適性を向上させることができると共に、手提げ用具としての引っ張り強度を確保することができ、さらに、収容物のサイズ及び形状のバリエーションに柔軟に対応して収容物のサイズや形状に関係なく当該収容物の水平姿勢を保持し得る高い汎用性を有する手提げ用具を提供することを目的とする。
【課題を解決するための手段】
【００１３】
かかる目的を達成するため、本発明の手提げ用具は、対向する側壁部と、これら対向する側壁部それぞれの下端と連接すると共に折り畳まれた状態において対向する側壁部に挟まれ且つ拡げられた状態において底部を構成するガセット部と、対向する側壁部それぞれの上端からガセット部の山折り稜線の方向Ｘと直交する方向に延出する一対の把手部と、対向する側壁部のうちのガセット部の山折り稜線よりも下側部分の方向Ｘにおける両端部を封止する側壁−ガセット封止部とを有するようにしている。なお、「側壁−ガセット封止」は、側壁部とガセット部とを封止する態様を表すものとして用いる。
【００１４】
したがって、この手提げ用具によると、内部に物を収容した状態の底部には封止線・封止部が無いので、内部に収容された物が封止線・封止部の存在に影響を受けることがない。また、底部に封止線・封止部が無く、内部に物を収容した際の形状が底部の封止線・封止部の寸法に影響を受けることがないので、内部に収容された物のサイズや形状に対応・適合して収容することができ、持ち運び時の手提げ用具に対する収容物の水平姿勢が保持されると共に多様なサイズや形状に対応し得る。
【００１５】
しかも、周壁(側壁)に切れ目を設けることがないので、手提げ用具としての強度が損なわれることがないと共に、内部に収容された物の形状に関係なく当該収容物の水平姿勢保持機能が発揮される。
【００１６】
また、本発明の手提げ用具は、側壁−ガセット封止部に沿って側壁部及びガセット部の角部分が裁断されているようにしても良い。この場合には、手提げ用具の原料が再生利用可能なものであるときに材料使用量が節約される（即ち、製造時に裁断された材料は裁断直後に回収することによって汚染されておらず清浄な状態で回収できそのまま再利用可能であるので材料使用量が節約される）。また、手提げ用具の原料が所定の再生資源であるときに再商品化の実施委託料金（即ち、特定事業者が再商品化しなければならない再商品化義務量に実施委託単価をかけて算出されるもの；容器包装に係る分別収集及び再商品化の促進等に関する法律  平成７年６月１６日法律第１１２号）が節約される。この場合には、また、手提げ用具の形態によっては側壁部とガセット部とによって凹み（或いは、ポケット）が形成されて当該凹みが例えばドアレバーや自転車のハンドル・ブレーキレバーなどに引っ掛かり易いところ、当該凹みが形成されない構成とされる。この場合には、さらに、手提げ用具としての使用時における側面三面及び底面一面の合計四面のそれぞれに、或いは側面四面及び底面一面の合計五面のそれぞれに、且つ、各面の中央位置に（各面の全面に及ぶ態様や四面又は五面に跨がって連続する態様を含む）、筒型原反素材の片面のみの印刷によって模様を付すことができる。
【００１７】
また、本発明の手提げ用具は、折り畳まれた状態におけるガセット部の折り返し長さＬgと両端部の側壁−ガセット封止部間の長さＬbとの間に ２Ｌg≧Ｌb の関係が成り立つようにしても良い。この場合には、ガセット部の山折り稜線の方向Ｘと、手提げ用具の使用時における収容空間の長手方向とが、直交する関係になる。そして、適当な拘束力が発揮されて特に複数の容器等が収容空間に積み重ねられた場合にこれら容器等が確りと保持されて荷崩れが防止される。
【００１８】
また、本発明の手提げ用具は、対向する側壁部のうちのガセット部の山折り稜線よりも上側部分の方向Ｘにおける両端部を封止する側壁封止部を更に有し、折り畳まれた状態におけるガセット部の折り返し長さＬgと両端部の側壁封止部間の長さＬ’との間に ４Ｌg≧Ｌ’の関係が成り立つようにしても良い。この場合には、ガセット部の山折り稜線の方向Ｘと、手提げ用具の使用時における収容空間の長手方向とが、直交する関係になる。そして、適当な拘束力が発揮されて特に複数の容器等が収容空間に積み重ねられた場合にこれら容器等が確りと保持されて荷崩れが防止される。
【００１９】
また、本発明の手提げ用具は、把手部に、単数の、若しくは、ガセット部の山折り稜線の方向Ｘと直交する方向に複数の、貫通孔が設けられるようにしても良い。この場合には、把手部が折り返され易くなる。
【００２０】
また、本発明の手提げ用具は、対向する側壁部と、これら対向する側壁部それぞれと連接するガセット部と、対向する側壁部とガセット部とが重複する部分に側壁−ガセット封止部とを有し、側壁−ガセット封止部に沿って側壁部及びガセット部の角部分が裁断されているようにしている。
【００２１】
したがって、この手提げ用具によると、手提げ用具の原料が再生利用可能なものであるときに材料使用量が節約される（即ち、製造時に裁断された材料は裁断直後に回収することによって汚染されておらず清浄な状態で回収できそのまま再利用可能であるので材料使用量が節約される）。また、手提げ用具の原料が所定の再生資源であるときに再商品化の実施委託料金（即ち、特定事業者が再商品化しなければならない再商品化義務量に実施委託単価をかけて算出されるもの；容器包装に係る分別収集及び再商品化の促進等に関する法律  平成７年６月１６日法律第１１２号）が節約される。この手提げ用具によると、また、手提げ用具の形態によっては側壁部とガセット部とによって凹み（或いは、ポケット）が形成されて当該凹みが例えばドアレバーや自転車のハンドル・ブレーキレバーなどに引っ掛かり易いところ、当該凹みが形成されない構成とされる。この手提げ用具によると、さらに、手提げ用具としての使用時における側面三面及び底面一面の合計四面のそれぞれに、或いは側面四面及び底面一面の合計五面のそれぞれに、且つ、各面の中央位置に（各面の全面に及ぶ態様や四面又は五面に跨がって連続する態様を含む）、筒型原反素材の片面のみの印刷によって模様を付すことができる。
【発明の効果】
【００２２】
本発明の手提げ用具によれば、内部に収容された物が封止線・封止部の存在に影響を受けることがないようにして持ち運び時の手提げ用具に対する収容物の水平姿勢を保持することができるので、弁当容器のように比較的肉薄の直方体形状の一側面を封止線・封止部に当てて収容物が垂直姿勢になってしまうことを防止することが可能になり、利便性・快適性の向上を図ることが可能になる。また、多様なサイズや形状に対応することができるので、汎用性の向上を図ることが可能になる。しかも、周壁(側壁)に切れ目を設けることがなく強度が損なわれることがないので、手提げ用具としての十分な強度を確保することが可能になる。さらに、内部に収容された物の形状に関係なく当該収容物の水平姿勢保持機能を発揮することができるので、この点からも利便性・快適性・汎用性の向上を図ることが可能になる。
【００２３】
また、本発明の手提げ用具は、側壁−ガセット封止部に沿って側壁部及びガセット部の角部分が裁断されている場合には、手提げ用具の原料が再生利用可能なものであるときに材料使用量を節約することができ、また、手提げ用具の原料が所定の再生資源であるときに再商品化の実施委託料金を節約することができるので、廃棄物の排出を抑制することが可能になると共に資源を有効に利用することが可能になり、また、手提げ用具の製造及び使用にかかる全体のコストを低減させることが可能になる。この場合には、また、側壁部とガセット部とによる凹みが形成されない構成にすることができ、手提げ用具の使用中に凹みが突起物などに引っ掛かることがないので、利便性及び安全性の向上を図ることが可能になる。この場合には、さらに、手提げ用具としての使用時における側面三面及び底面一面の合計四面のそれぞれに、或いは側面四面及び底面一面の合計五面のそれぞれに、且つ、各面の中央位置に（各面の全面に及ぶ態様や四面又は五面に跨がって連続する態様を含む）、筒型原反素材の片面のみの印刷によって模様を付すことができるので、手提げ用具の製造工程における装飾の効率性を向上させることが可能になり、また、装飾の応用性を高め用途の幅を広げて汎用性を向上させることが可能になる。
【図面の簡単な説明】
【００２４】
【図１】本発明の手提げ用具の実施形態の一例を示す図であり、折り畳んだ状態の正面図である。
【図２Ａ】実施形態の手提げ用具の側壁部を互いに僅かに引き離した状態を示す下方からの斜視図である。
【図２Ｂ】実施形態の手提げ用具の側壁部を互いに僅かに引き離した状態を示す上方からの斜視図である。
【図３Ａ】実施形態の手提げ用具の側壁部を互いに大きく引き離した状態を示す、側方に対して僅かに上方からの斜視図である。
【図３Ｂ】実施形態の手提げ用具の側壁部を互いに大きく引き離した状態を示す、図３Ａよりも一層上方からの斜視図である。
【図４】実施形態の手提げ用具の製造時のガセット部形成加工，封止部形成加工及び切断加工を説明する図であり、折り畳んだ状態の正面図である。
【図５】実施形態の手提げ用具の製造時の裁断加工を説明する図であり、折り畳んだ状態の正面図である。
【図６】側壁−ガセット封止部が形成されると共に当該側壁−ガセット封止部に沿って側壁部及びガセット部の下端角部分が裁断される他の例を示す図であり、折り畳んだ状態の正面図である。
【図７Ａ】側壁部及びガセット部の下端角部分が裁断される効果を説明するための対比例を示す図であり、折り畳んだ状態の下側部分の正面図である。
【図７Ｂ】側壁部及びガセット部の下端角部分が裁断される効果を説明するための対比例を示す図であり、内部に容器などを収容した状態を説明する斜視図である。
【図８】本発明の手提げ用具の実施形態の他の一例を示す図であり、折り畳んだ状態の正面図である。
【図９】本発明の手提げ用具の実施形態の更に他の一例を示す図であり、折り畳んだ状態の正面図である。
【図１０Ａ】本発明の手提げ用具の効果を説明する図であり、手提げ用具の製造時における印刷処理を説明する図である。
【図１０Ｂ】本発明の手提げ用具の効果を説明する図であり、印刷処理を経た製造後の手提げ用具を折り畳んだ状態の正面図である。
【図１１】本発明の手提げ用具の効果を説明する図であり、使用時の状態を示す斜視図である。
【図１２Ａ】本発明の手提げ用具の効果を説明する図であり、手提げ用具の製造時における印刷処理を説明する図である。
【図１２Ｂ】本発明の手提げ用具の効果を説明する図であり、印刷処理を経た製造後の手提げ用具を折り畳んだ状態の正面図である。
【図１３】本発明の手提げ用具の効果を説明する図であり、使用時の状態を示す斜視図である。
【図１４】本発明の手提げ用具において特別の効果を発揮するための寸法関係を説明する図であり、折り畳んだ状態の正面図である。
【図１５Ａ】本発明の手提げ用具の効果を説明する図である。
【図１５Ｂ】本発明の手提げ用具の効果を説明するための対比例を示す図である。
【図１６】本発明の手提げ用具において特別の効果を発揮するための他の寸法関係を説明する図であり、折り畳んだ状態の正面図である。
【図１７Ａ】本発明の手提げ用具における把手部の変形例を示す図であり、把手部の貫通孔を示す図である。
【図１７Ｂ】本発明の手提げ用具における把手部の変形例を示す図であり、把手部が折り返された状態を示す図である。
【図１８】従来のレジ袋の例を示す図である。
【図１９】従来のレジ袋の他の例を示す図である。
【発明を実施するための形態】
【００２５】
以下、本発明の構成を図面に示す実施の形態の一例に基づいて詳細に説明する。
【００２６】
図１から図５に、本発明の手提げ用具の実施形態の一例を示す。この手提げ用具１０は、対向する側壁部２，２と、これら対向する側壁部２，２それぞれの下端と連接すると共に手提げ用具１０が折り畳まれた状態において対向する側壁部２，２に挟まれ且つ手提げ用具１０が拡げられた状態において底部を構成するガセット部１と、対向する側壁部２，２それぞれの上端からガセット部１の山折り稜線１ａの方向Ｘと直交する方向に延出する一対の把手部３，３と、対向する側壁部２，２のうちのガセット部１の山折り稜線１ａよりも上側部分の方向Ｘにおける両端部を封止する側壁封止部２ｃ，２ｃと、対向する側壁部２，２のうちのガセット部１の山折り稜線１ａよりも下側部分の方向Ｘにおける両端部を封止する側壁−ガセット封止部２ｄ，２ｄとを有する。
【００２７】
手提げ用具１０の材質・素材は、柔軟性・可撓性を有すると共に想定される収容物を吊るに際して十分な強度を発揮し得る素材であれば、特定の素材に限定されるものではなく、例えばポリエチレン，ポリエステル，ポリスチレン，ポリプロピレン，ナイロン，パルプ，不織布，麻，綿，及び絹などの中から使用場面や想定される収容物などを考慮して適宜選択される。
【００２８】
側壁部２，２は、図１に示すように、側壁部２，２上端の二つの把手部３，３の間の中間部自由端２ａ及び把手部３，３の外側の側部自由端２ｂ，２ｂが閉じられて手提げ用具１０が折り畳まれた状態（以下、手提げ用具１０の折り畳み状態と呼ぶ）において正面と裏面とで対向するものとして構成される。なお、図面において、手提げ用具１０の使用状態に基づいて、Ｖ軸は上下方向を表し（そして、ＶUは上向き，ＶLは下向き）、Ｈ軸は横方向を表す。
【００２９】
側壁部２，２は、また、図３に示すように、中間部自由端２ａ及び側部自由端２ｂ，２ｂが開かれて手提げ用具１０内に容器等が入れられる状態（以下、手提げ用具１０の収容待機状態と呼ぶ）において対向しつつ手提げ用具１０としての側壁を構成する。
【００３０】
ガセット部１は、図１に示す手提げ用具１０の折り畳み状態において対向する側壁部２，２（正面，裏面）に挟まれ、一つの山とこの山の両側の側壁部２，２との間の二つの谷とを形成して折り畳まれ、また、図３に示す手提げ用具１０の収容待機状態において手提げ用具１０の底部を構成する。
【００３１】
ガセット部１と側壁部２の下端とは、対向する側壁部２，２に挟まれるガセット部１の山折り稜線１ａの方向Ｘ（以下、ガセット稜線方向Ｘと呼ぶ）と直交する方向で連接する。
【００３２】
側壁部２，２の、ガセット稜線方向Ｘにおける両端部それぞれの、ガセット部１の山折り稜線１ａよりも側部自由端２ｂ，２ｂ側の部分に、手提げ用具１０の材質も考慮して例えば熱融着や接着或いは縫製することにより、ガセット稜線方向Ｘと正面視において直交する方向の側壁封止部２ｃ，２ｃが形成される。なお、ガセット稜線方向Ｘに対する側壁封止部２ｃの正面視方向は、図１に示す例のように直交する方向に限られるものではなく、適宜調整されることが可能であり、傾斜する方向であっても構わない。
【００３３】
側壁封止部２ｃでは、側壁部２，２同士、即ち、図１において、正面側の側壁部２と裏面側の側壁部２同士が封止される。
【００３４】
また、側壁部２，２及びガセット部１の、ガセット稜線方向Ｘにおける両側の、ガセット部１の山折り稜線１ａよりも側部自由端２ｂ，２ｂの反対側の部分に、手提げ用具１０の材質も考慮して例えば熱融着や接着或いは縫製することにより、ガセット稜線方向Ｘと正面視において４５°で交差する方向の側壁−ガセット封止部２ｄ，２ｄが形成される。側壁−ガセット封止部２ｄ，２ｄの角度は、手提げ用具１０の正面視において、側壁部２のガセット部１の山折り稜線１ａ位置の横幅よりも下端の横幅の方が狭くなるように、言い換えると、両側の側壁−ガセット封止部２ｄ，２ｄによって上下逆ハの字になるように、アレンジされる。なお、ガセット稜線方向Ｘに対する側壁−ガセット封止部２ｄの正面視における角度は、４５°に限定されるものではなく、適宜調整されることが可能であり、具体的には例えば３０°〜６０°程度の範囲で適宜調整されることが可能であり、さらに言えば、９０°（即ち、直交する方向）であっても構わない。
【００３５】
側壁−ガセット封止部２ｄでは、対向する側壁部２，２のうちの一方と手提げ用具１０の折り畳み状態において対向するガセット部１のうちの一方とが封止される。具体的には、図１において、正面側の側壁部２とガセット部１のうちの正面側の側壁部２と連接する側とが封止され、裏面側の側壁部２とガセット部１のうちの裏面側の側壁部２と連接する側とが封止される。なお、このような封止の仕方はＶシールとも呼ばれる。
【００３６】
なお、側壁−ガセット封止部２ｄがガセット稜線方向Ｘに対して正面視において直交する方向に形成される場合には、正面側の側壁部２と、ガセット部１のうちの正面側の側壁部２と連接する側と、裏面側の側壁部２と、ガセット部１のうちの裏面側の側壁部２と連接する側と、の全てをまとめて封止するようにしても良い。また、側壁−ガセット封止部２ｄはガセット部１の山折り稜線１ａを超えて側壁部２に及ぶように形成されても良く、さらに、側壁−ガセット封止部２ｄと側壁封止部２ｃとが連続して一連・一体の封止部として形成されるようにしても良い。また、例えば図１に示される例では側壁−ガセット封止部２ｄがガセット部１の略全体に亘り且つ連続して切れ目なく形成されるようにしているが、側壁−ガセット封止部２ｄの態様はこれに限定されるものではなく、ガセット部１の一部のみに形成されるようにしても良いし、破線の如く断続的に形成されるようにしても良い。
【００３７】
そして、ガセット部１によって構成される底部と、側壁部２，２によって構成される側壁とにより、手提げ用具１０の収容空間５が形成される。
【００３８】
把手部３は、対向する側壁部２，２それぞれの上端から、言い換えると、対向する側壁部２，２それぞれのガセット稜線方向Ｘと直交する方向におけるガセット部１と連接する側とは反対の側から、ガセット稜線方向Ｘと直交する方向において連接して延出して設けられる。
【００３９】
把手部３は、対向する側壁部２，２それぞれの上端から連接して延出する部分同士が上端において連接している。これにより、把手部３は、掴まれ把持されて把手として機能する。なお、対向する側壁部２，２それぞれの上端から連接して延出する部分同士が、上端において、手提げ用具１０の材質も考慮して例えば熱融着や接着或いは縫製することによって封止されるようにしても良い。
【００４０】
把手部３の両側端、言い換えると、把手部３のガセット稜線方向Ｘにおける両端は自由端（開口端）である。これにより、手提げ用具１０の使用者の手が挿し入れられる穴部３ａが形成される。
【００４１】
また、把手部３は、ガセット稜線方向Ｘにおいて離間して一対の把手部３，３として設けられる。そして、以上の構成によれば、手提げ用具１０の使用者の手が一対の把手部３，３を一緒に掴むように穴部３ａに挿し入れられる方向と、ガセット稜線方向Ｘとが一致する。また、側壁封止部２ｃの平面視方向も、使用者の手が穴部３ａに挿し入れられる方向と一致する。このように、使用者の手が穴部３ａに挿し入れられる方向とガセット稜線方向Ｘと側壁封止部２ｃの平面視方向とを一致させることにより、対向する側壁部２，２同士が閉じ合わさろうとする力が収容物に働くことを防ぎ、収容物の水平姿勢の保持に寄与することができる。
【００４２】
なお、把手部３が、手提げ用具１０の折り畳み状態において対向する側壁部２，２から延出する部分に挟まれて山・谷を形成して折り畳まれるガセット部を有するものとして形成されるようにしても良い。この場合には、手提げ用具１０の折り畳み状態における把手部３部分の大きさが抑制されながらも、即ちガセット部として折り込まれた分短くなる一方で、使用時においては把手部３の高さ寸法が十分に確保される。
【００４３】
なお、手提げ用具１０の全体の大きさ並びにガセット部１，側壁部２，及び把手部３の各方向寸法は、特定の大きさ・値に限定されるものではなく、想定される用途や収容物の形状，大きさ，及び個数などに合わせて適宜調整される。
【００４４】
上述の手提げ用具１０は、例えば、ポリエチレンの筒型原反素材（チューブ材などとも呼ばれる）を用いて製造される。
【００４５】
本実施形態の手提げ用具１０の製造方法は、筒型原反素材１１に筒軸心方向に沿ってガセット部１を形成し、また、当該ガセット部１及び当該ガセット部１と筒型原反素材１１の軸直角断面において対向する位置を折ることによって筒型原反素材１１を折り畳んだ状態において筒軸心方向と直交する方向の一対の側壁封止部２ｃ，２ｃを筒軸心方向において離間させて形成すると共に一対の側壁封止部２ｃ，２ｃそれぞれの位置からこれら側壁封止部２ｃ，２ｃの間に向けて傾斜する方向の側壁−ガセット封止部２ｄ，２ｄをガセット部１部分に筒軸心方向において離間させて形成し、そして、側壁封止部２ｃに沿って切断し、さらに、側壁封止部２ｃの一部を含む部分１２を切り取ると共に当該部分１２に挟まれる部分１３を切り取り、また、側壁−ガセット封止部２ｄに沿って切り取るようにしている。
【００４６】
具体的には、図４に示すように、まず、筒型原反素材１１に、山折り稜線１ａが筒軸心方向になるように筒軸心に対して山・谷を形成して折られるガセット部１が形成される。そして、筒型原反素材１１は、内側に山が入り込んで（言い換えると、山折り稜線１ａが入り込んで）ガセット部１が折り畳まれ、且つ、ガセット部１と筒型原反素材１１の軸直角断面において対向する位置が筒軸心方向に沿って折られた状態で、平らに均される。
【００４７】
次に、筒型原反素材１１のガセット部１が形成されている部分に、山折り稜線１ａ側の端部が筒軸心方向（即ち、ガセット稜線方向Ｘ）において所定の間隔（即ち、手提げ用具１０のガセット稜線方向Ｘの寸法Ｌの間隔）になる位置若しくはその近傍位置であり、且つ、或る手提げ用具１０のものとしての一対のもの同士が近づくように傾斜する方向の一対の側壁−ガセット封止部２ｄ，２ｄが熱融着によって形成される。
【００４８】
さらに、ガセット部１が形成され折り畳まれて平らにされた筒型原反素材１１の、少なくともガセット部１の山折り稜線１ａよりもガセット部１とは反対側の部分（言い換えると、ガセット部１が形成されていない部分）に、筒軸心方向（即ち、ガセット稜線方向Ｘ）において所定の間隔（即ち、側壁封止部２ｃの中心間隔が手提げ用具１０のガセット稜線方向Ｘの寸法Ｌに等しくなる間隔）で、筒軸心方向と直交する方向の側壁封止部２ｃが熱融着によって形成される。なお、図４に示す例では、筒型原反素材１１の幅（即ち、筒軸心方向と直交する方向の寸法）全体に亘って封止部２Ｃoが形成され、当該封止部２Ｃoの一部が側壁封止部２ｃになるようにしている。
【００４９】
ここで、筒型原反素材１１を用いる場合には、側壁封止部２ｃ及び或る手提げ用具１０のものとしての一対の側壁−ガセット封止部２ｄ，２ｄが筒軸心方向（ガセット稜線方向Ｘ）に並んで形成される。
【００５０】
続いて、筒型原反素材１１が、側壁封止部２ｃの中心線において切断、言い換えると、側壁封止部２ｃの中心位置において筒軸心方向と直交する方向に切断される（図４における切断線１５）。これにより、筒軸心方向（ガセット稜線方向Ｘ）の寸法がＬである原形１１Ａが形成される。
【００５１】
次に、原形１１Ａが所定枚数重ねられ、把手部３を形成するための裁断が行われる。具体的には、裁断によって切り取られる側壁両端切取部分（図５において符号１２が付された斜線部分）が、原形１１Ａの筒軸心方向（ガセット稜線方向Ｘ）の両端部分に設定される。なお、側壁両端切取部分１２は、側壁封止部２ｃの一部を残す範囲に設定されても或いは全体を切り取る範囲に設定されてもどちらでも良いし、また、ガセット部１を含まない範囲に設定されても或いはガセット部１を含む範囲に設定されてもどちらでも良い。
【００５２】
なお、側壁両端切取部分１２の正面視形状（即ち、図５における符号１２の斜線部分の形状）は、原形１１Ａの上端角部分を少なくとも含むものであれば、特定の形状に限定されるものではなく、例えば、三角形でも良いし、裁断線が弧状でも良い。
【００５３】
さらに、裁断によって切り取られる側壁切取部分（図５において符号１３が付された斜線部分）が、ガセット稜線方向Ｘにおいて隣り合う側壁両端切取部分１２，１２の間で、把手部３のガセット稜線方向Ｘの横幅が所定の寸法になるように設定される。なお、側壁切取部分１３は、ガセット部１を含まない範囲に設定される。
【００５４】
なお、側壁切取部分１３の正面視形状（即ち、図５における符号１３の斜線部分の形状）は、原形１１Ａの上端を少なくとも含むものであれば、特定の形状に限定されるものではなく、例えば半楕円形や半円形でも良い。
【００５５】
このようにガセット稜線方向Ｘにおいて離間して並んで一対の側壁両端切取部分１２，１２と側壁切取部分１３とが設定されてこれら部分が切り取られることにより、切り取られた部分を開口端とする穴部３ａを有するループ状の一対の把手部３が形成される。
【００５６】
次に、側壁−ガセット封止部２ｄに沿って、側壁部２及びガセット部１のガセット稜線方向Ｘの両側の下端角部分（図５において符号１４が付された斜線部分）が裁断される。
【００５７】
なお、図５に示す例では側壁−ガセット封止部２ｄに隣接して（言い換えると、密接して）下端角部分１４が裁断されるようにしているが、下端角部分１４の裁断位置は、これに限られるものではなく、例えば製造における技術的な条件や制約などが考慮された上で適当な位置が適宜選択され得る。具体的には例えば、側壁−ガセット封止部２ｄから少し離れた位置で、即ち側壁−ガセット封止部２ｄの外側に余地を残して下端角部分１４が裁断されるようにしても良い。
【００５８】
また、図５に示す例では側壁−ガセット封止部２ｄが傾斜した直線状に形成されるようにしているが、側壁−ガセット封止部２ｄの形状は、直線状に限られるものではなく、例えば製造における技術的な条件や制約などが考慮された上で適当な形状が適宜選択され得る。具体的には例えば、図５の〈ａ〉を付した円内に示すように、傾斜した直線状の側壁−ガセット封止部２ｄの上端部分が、ガセット稜線方向Ｘに沿う方向に屈曲した部分２ｄ’であるように形成されるようにしても良い。
【００５９】
以上により、手提げ用具１０が完成する。
【００６０】
上述の製造方法によれば、筒型原反素材(チューブ材)を筒型(チューブ)のまま使用して手提げ用具１０を製造することができる。すなわち、製造の手間としては簡便でありながら、収容物に対して良好な水平姿勢保持機能を発揮可能である手提げ用具１０を製造することができる。
【００６１】
ただし、上述の手提げ用具１０の製造方法・製造工程は一例に過ぎず、本発明の手提げ用具を製造する方法が上述のものに限定されるわけではない。
【００６２】
具体的には例えば、上述の製造方法・製造工程では封止部２Ｃo（側壁封止部２ｃ）及び側壁−ガセット封止部２ｄが熱融着によって形成され切断線１５で切断されて形成された原形１１Ａが所定枚数重ねられて把手部３を形成するための裁断並びに側壁部２及びガセット部１の下端角部分の裁断が行われるようにしているが、サイドシール（即ち、シール(封止)と同時に熱溶断も行われる加工法）を用いて側壁部２の封止（封止部２Ｃo(側壁封止部２ｃ)の形成に相当）と熱溶断（切断線１５における切断に相当）とが同時に行われると共に側壁部２−ガセット部１の封止（側壁−ガセット封止部２ｄの形成に相当）と熱溶断（側壁−ガセット封止部２ｄに沿う裁断に相当）とが同時に行われるようにしても良い（サイドシールの処理は一枚ずつ行われる）。なお、この場合も、把手部３を形成するための裁断は上述の製造方法・製造工程と同様の裁断によって行われる（この裁断処理は所定枚数重ねられて行われる）。
【００６３】
また、手提げ用具１０の材質・素材として、例えば不織布などが用いられる場合には超音波カット溶着（超音波カットアンドシールなどとも呼ばれる）が用いられるようにしても良く、例えばポリエステル等の布素材が用いられる場合には縫製が用いられるようにしても良い。
【００６４】
サイドシールや超音波カット溶着が用いられる場合には、通常の熱融着によると形成される融着部分（耳とも呼ばれる）が形成されず、材料使用量が節約され、また、手提げ用具１０の外観がすっきりして良好なものになる。
【００６５】
また、上述の製造方法・製造工程では筒型原反素材１１を用いるようにしているが、フィルム材を用いて手提げ用具１０を製造するようにしても良い。
【００６６】
また、側壁部２及びガセット部１のガセット稜線方向Ｘの両側の下端角部分１４，１４が裁断されることは、本発明においては必須の構成ではない。すなわち、下端角部分１４，１４がたとえ裁断されないとしても、底部に封止線・封止部が無いことによる収容物の水平姿勢保持機能は発揮される。
【００６７】
なお、側壁部２及びガセット部１のガセット稜線方向Ｘの両側の下端角部分１４，１４が裁断されるようにすることにより、手提げ用具１０の原料が再生利用可能なものであるときに材料使用量を節約することができる（即ち、製造時に裁断されたポリエチレン等は裁断直後に回収することによって汚染されておらず清浄な状態で回収できそのまま再利用可能であるので材料使用量を節約することができる）。また、手提げ用具１０の原料が所定の再生資源であるときに再商品化の実施委託料金（即ち、特定事業者が再商品化しなければならない再商品化義務量に実施委託単価をかけて算出されるもの；容器包装に係る分別収集及び再商品化の促進等に関する法律  平成７年６月１６日法律第１１２号）を節約することができる。手提げ用具１０の原料が再生利用可能なものであるときには、さらに、廃棄物の排出量を低減させることができるという点において環境負荷を軽減させることができる。
【００６８】
上述の手提げ用具１０は、具体的には例えば以下のように使用される。まず、図２及び図３に示すように、一対の把手部３，３が上側にされて対向する側壁部２，２が互いに引き離され、また、ガセット部１が拡げられる。これにより、側方が主に側壁部２，２に、下方がガセット部１にそれぞれ覆われて囲われる収容空間５が形成される。
【００６９】
そして、例えば弁当容器のような容器などが収容空間５に収容される（即ち、ガセット部１上に載置される）。このとき、容器等の平面縦横の寸法が異なる場合には、容器等の平面長軸方向がガセット稜線方向Ｘと直交するように配置されることが好ましい。
【００７０】
そして、ガセット稜線方向Ｘにおいて両方の把手部３，３の穴部３ａ，３ａに手が入れられてこれら把手部３，３が一緒に掴まれて手提げ用具１０が持ち上げられる。このとき、底部には封止線・封止部が無いので、容器の自重で手提げ用具１０の底面のサイズ・形状は封止線・封止部の影響を受けることなく自動調整され、手提げ用具１０の底面（即ち、ガセット部１）が容器の底面に密着し、容器が確実に支持されて水平が保持される。また、手提げ用具１０の使用者の手が一対の把手部３，３を一緒に掴むように穴部３ａに挿し入れられる方向と、ガセット稜線方向Ｘと、側壁封止部２ｃの平面視方向とが一致するので、対向する側壁部２，２同士が閉じ合わさろうとする力が収容物に働くことがなく、収容物の水平姿勢が保持される。
【００７１】
以上のように構成された手提げ用具１０によれば、底部（即ち、ガセット部１）に封止線・封止部が無く、内部に収容された物が封止線・封止部の存在に影響を受けることがないので、弁当容器のように比較的肉薄の直方体形状の一側面を封止線・封止部に当てて収容物が垂直姿勢になってしまうことを防止することが可能になる。また、手提げ用具１０によれば、底部(ガセット部１)に封止線・封止部が無く、内部に物を収容した際の形状が底部の封止線・封止部の寸法に影響を受けることがないので、内部に収容された物のサイズや形状に対応・適合して収容することができ、持ち運び時の手提げ用具に対する収容物の水平姿勢を保持することが可能になると共に多様なサイズや形状に対応することが可能になる。
【００７２】
手提げ用具１０によれば、しかも、側壁部２に切れ目を設けることがないので、手提げ袋としての強度が損なわれることがないと共に、収容物の形状に関係なく当該収容物の水平姿勢保持機能を発揮することが可能になる。
【００７３】
また、底部のみにガセット部１を有すると共に側壁−ガセット封止部２ｄ，２ｄが形成され且つ当該側壁−ガセット封止部２ｄに沿って側壁部２及びガセット部１のガセット稜線方向Ｘにおける両側の下端角部分（図５において符号１４が付された斜線部分）が裁断されるという構造を備える手提げ用具１０によれば、製造工程において、ガセット部１が折り込み加工によって形成される前に、単に押し潰されて二重になるように折り畳まれた筒型原反素材（チューブ材）の片面のみに印刷することにより、手提げ用具１０としての使用時における四面又は五面に対して模様等を付すことが可能になる。
【００７４】
具体的には、図１０Ａに示すように、筒型原反素材１１を単に押し潰して二重になるように折り畳み、一つの原形１１Ａ（手提げ用具１０）につき、ガセット稜線方向Ｘに沿う第一側面の模様４０Ａと、ガセット稜線方向Ｘと直交して対向する第二側面それぞれの模様４０Ｂ，４０Ｂと、底面の模様４０Ｃとを、片面のみの印刷によって付すことが可能になる。なお、印刷処理の後、ガセット部１を形成するための折り込み加工が行われると共に封止部の形成，切断，及び裁断などが行われることによって手提げ用具１０が作製される（図１０Ｂ）。なお、図１０Ａにおける第二側面の模様４０Ｂ，４０Ｂ及び底面の模様４０Ｃの中央位置がガセット部１の山折り稜線１ａとして折られる（図１０Ｂ参照）。
【００７５】
これにより、図１１に示すように、手提げ用具１０としての使用時における側面三面及び底面一面の合計四面のそれぞれに、且つ、各面の中央位置に、筒型原反素材１１の片面のみの印刷によって模様等を付すことが可能になる。なお、各面の中央位置の一部分のみに模様等を付す態様に限定されるということではなく、各面の中央位置の一部分に模様等を付すことが可能であることに加え、各面の中央位置からずれた位置の一部分に模様等を付すことも可能であり、また、各面の全面に及ぶ模様等を付すことも可能であり、さらに、四面に跨がって連続する模様等を付すことも可能である。なお、あくまで一例として挙げれば、第一側面の模様４０Ａ及び第二側面の模様４０Ｂ，４０Ｂとしては全て同一のロゴマーク（必要に応じて大きさは異なる）を表示し、底面の模様４０Ｃとしては手提げ用具１０の仕様や取り扱い上の注意事項などを表示することが考えられる。
【００７６】
具体的には、また、図１２Ａに示すように、筒型原反素材１１を単に押し潰して二重になるように折り畳み、一つの原形１１Ａ（手提げ用具１０）につき、ガセット稜線方向Ｘに沿って対向する第一側面それぞれの模様４０Ａ，４０Ａと、ガセット稜線方向Ｘと直交して対向する第二側面それぞれの模様４０Ｂ，４０Ｂと、底面の模様４０Ｃとを、片面のみの印刷によって付すことが可能になる。なお、印刷処理の後、ガセット部１を形成するための折り込み加工が行われると共に封止部の形成，切断，及び裁断などが行われることによって手提げ用具１０が作製される（図１２Ｂ）。なお、図１２Ａにおける第二側面の模様４０Ｂ，４０Ｂ及び底面の模様４０Ｃの中央位置がガセット部１の山折り稜線１ａとして折られる（図１２Ｂ参照）。
【００７７】
これにより、図１３に示すように、手提げ用具１０としての使用時における側面四面及び底面一面の合計五面のそれぞれに、且つ、各面の中央位置に、筒型原反素材１１の片面のみの印刷によって模様等を付すことが可能になる。なお、各面の中央位置の一部分のみに模様等を付す態様に限定されるということではなく、各面の中央位置の一部分に模様等を付すことが可能であることに加え、各面の中央位置からずれた位置の一部分に模様等を付すことも可能であり、さらに、五面に跨がって連続する模様等を付すことも可能である。
【００７８】
図１３に示す例の場合には、したがって、筒型原反素材１１の片面のみの印刷により、手提げ用具１０の持ち方に拘わらず、つまり手提げ用具１０をどのように持ったとしても、五面の模様４０Ａ，４０Ｂ，４０Ｃのうちの少なくとも一つが必ず露出するように構成することができる。したがって、模様４０Ａ，４０Ｂ，４０Ｃとして例えばロゴマークが付されている場合には、当該ロゴマークが必ず露出することになって高い宣伝効果が発揮され得る。
【００７９】
また、前述の通り手提げ用具１０の全体の大きさ並びにガセット部１，側壁部２，及び把手部３の各方向寸法は適宜調整され得るものの、ガセット部１の折り返し長さ（言い換えると、上下方向即ちＶ軸方向における襠幅）と底辺長さ（言い換えると、ガセット稜線方向Ｘにおける一対の側壁−ガセット封止部２ｄ，２ｄ間の下端の長さ）とが特定の寸法関係に調整されることにより、特有の効果が発揮される。
【００８０】
具体的には、図１４に示すように、手提げ用具１０を折り畳んだ状態の正面図における、ガセット部１の上下方向即ちＶ軸方向における折り返し長さＬgとガセット稜線方向Ｘにおける底辺長さＬbとが ２Ｌg≧Ｌb の関係を満たすように調整されることにより、特に複数の容器等が収容空間５内に積み重ねられた場合のこれら容器等の荷崩れが防止されるという特有の効果が発揮される。
【００８１】
この効果を説明するための対比例としての例えば図６に示されるような山折り稜線２１ａの方向が上下方向になっているガセット部２１から連接して上方に延出する把手部２３を有する従来型の手提げ袋では（図６に示される手提げ用具２０の詳細な構成は後述を参照）、図１５Ｂに示すように、収容空間２５内に比較的肉薄の直方体形状の弁当容器等の上に例えばペットボトル等が積み重ねられた場合には、両方の把手部２３，２３を合わせて一緒に掴んで持ち上げた際にガセット部２１の分の弛みがあることにも起因して対向する側壁部２２，２２が外方に押し出されるようになってしまう。したがって、両方の把手部２３，２３を閉じ合わせて持ち上げた際の引っ張り力による、転がりや滑りを抑える拘束力をペットボトル等に作用させることができない。このため、ペットボトル等が転がり・滑り、弁当容器等の端に移動したり、弁当容器等の上面から落ちてしまったりする。そして、弁当容器等の端に移動したペットボトル等の重みによって弁当容器等が傾き、さらには弁当容器等からペットボトル等が転げ落ち・滑り落ちて弁当容器等が垂直姿勢になってしまう。また、弁当容器等の上面からペットボトル等が転げ落ち・滑り落ちて弁当容器等の脇や下にもぐり込み、当該ペットボトル等を支点として手提げ用具の対向する側壁部２２，２２が閉じ合わさろうとして弁当容器等が傾き、さらには垂直姿勢になってしまう。
【００８２】
これに対し、本発明の手提げ用具では、図１５Ａに示すように、収容空間５内に比較的肉薄の直方体形状の弁当容器等の上に例えばペットボトル等が積み重ねられた場合でも、特に容器等の平面長軸方向がガセット稜線方向Ｘと直交するように配置されることにより、両方の把手部３，３を合わせて一緒に掴んで持ち上げた際の引っ張り力によって側面が強く張られて拘束力４１が生じる。これにより、ペットボトル等の転がりや滑りが抑えられ、延いては弁当容器等の傾きが抑えられる。
【００８３】
なお、図１４に示す例のようにガセット部１の折り返し長さＬgと底辺長さＬbとが ２Ｌg≧Ｌb の関係を満たすように調整された手提げ用具１０においても下端角部分（図５において符号１４が付された斜線部分に相当する部分）が裁断されるようにしても良いことは勿論である。
【００８４】
前述の通り手提げ用具１０の全体の大きさ並びにガセット部１，側壁部２，及び把手部３の各方向寸法は適宜調整され得るものの、また、ガセット部１の折り返し長さ（言い換えると、上下方向即ちＶ軸方向における襠幅）とガセット稜線方向Ｘにおける一対の側壁封止部２ｃ，２ｃ間の長さとが特定の寸法関係に調整されることにより、特有の効果が発揮される。
【００８５】
具体的には、図１６に示すように、手提げ用具１０を折り畳んだ状態の正面図における、ガセット部１の上下方向即ちＶ軸方向における折り返し長さＬgとガセット稜線方向Ｘにおける一対の側壁封止部２ｃ，２ｃ間の長さＬ’とが ４Ｌg≧Ｌ’の関係を満たすように調整されることにより、特に複数の容器等が収容空間５内に積み重ねられた場合のこれら容器等の荷崩れが防止されるという特有の効果が発揮される（図１５Ａ及び当該図１５Ａに関する上記説明を参照）。ここで、一対の側壁封止部２ｃ，２ｃ間の長さＬ’は、手提げ用具１０のガセット稜線方向Ｘの寸法Ｌから、両端の側壁封止部２ｃ，２ｃを除いた寸法である。
【００８６】
なお、図１６に示す例のようにガセット部１の折り返し長さＬgと一対の側壁封止部２ｃ，２ｃ間の長さＬ’とが ４Ｌg≧Ｌ’の関係を満たすように調整された手提げ用具１０の場合には、ガセット部１の折り返し長さＬgと底辺長さＬbとが図１４に示す例のような特定の寸法関係に調整される必要はない。
【００８７】
また、図１６に示す例のようにガセット部１の折り返し長さＬgと一対の側壁封止部２ｃ，２ｃ間の長さＬ’とが ４Ｌg≧Ｌ’の関係を満たすように調整された手提げ用具１０においても下端角部分（図５において符号１４が付された斜線部分に相当する部分）が裁断されるようにしても良いことは勿論である。
【００８８】
なお、上述の形態は本発明の好適な形態の一例ではあるが本発明の具体的な実施の形態がこれに限定されるものではなく、本発明の要旨を逸脱しない範囲において種々変形実施可能である。例えば、上述の実施形態ではガセット部１と側壁部２と把手部３との全てが一体として構成される（言い換えると、一部材で形成される）ようにしているが、把手部３が別体として構成されて（言い換えると、別部材で形成されて）取り付けられるようにしても良い。そしてこの場合、ガセット部１及び側壁部２と把手部３とが異なる材質で構成されるようにしても良い。
【００８９】
また、上述の実施形態では対向する側壁部２，２のうちのガセット部１の山折り稜線１ａよりも上側部分のガセット稜線方向Ｘにおける両端部を封止する側壁封止部２ｃ，２ｃが形成されるようにしているが、側壁封止部２ｃは本発明において必須の構成ではなく、側壁封止部２ｃが形成されずに側壁部２のガセット稜線方向Ｘの両端が自由端であるようにしても良い。
【００９０】
また、上述の実施形態では側壁両端切取部分１２を切り取るように、言い換えると、一対の把手部３，３のガセット稜線方向Ｘにおける側端と対向する側壁部２，２のガセット稜線方向Ｘにおける側端とがずれているようにしているが、図８に示すように、側壁両端切取部分１２を切り取らないように、言い換えると、一対の把手部３，３のガセット稜線方向Ｘにおける側端と対向する側壁部２，２のガセット稜線方向Ｘにおける側端とが揃っているようにしても良い。この場合には、側部自由端２ｂ（図１参照）は存在しない。なお、図８に示す例では、また、側壁封止部２ｃ（図１参照）が形成されずに側壁部２のガセット稜線方向Ｘの両端が自由端であるようにしている。
【００９１】
また、上述の実施形態ではガセット稜線方向Ｘに対する側壁−ガセット封止部２ｄの正面視における角度は４５°或いは適宜調整され得るものであって９０°でも良いとしているが、角度が異なる複数の側壁−ガセット封止部２ｄを組み合わせるようにしても良い。具体的には例えば図９に示すように、ガセット稜線方向Ｘに対して４５°の角度である側壁−封止部２ｄ1（Ｖシール）と、ガセット稜線方向Ｘに対して９０°の角度である（即ち、直交する方向の）側壁−封止部２ｄ2（対向する側壁部２，２とガセット部１との全てをまとめて封止）とを組み合わせて形成するようにしても良い。なお、図９に示す例では、また、側壁部２，２のガセット稜線方向Ｘにおける両端部それぞれに側壁封止部２ｃ，２ｃを形成しつつ、一対の把手部３，３のガセット稜線方向Ｘにおける側端と対向する側壁部２，２のガセット稜線方向Ｘにおける側端とが揃っているようにしている。
【００９２】
ここで、上述の実施形態においては、手提げ用具１０のガセット部１が形成されている部分に側壁−ガセット封止部２ｄが形成されると共に当該側壁−ガセット封止部２ｄに沿って側壁部２及びガセット部１の下端角部分１４が裁断されるようにし、これにより、手提げ用具１０の材料使用量を節約することができると共に手提げ用具１０にかかる再商品化の実施委託料金を節約することができるようにしている。この、ガセット部が形成されている部分に側壁−ガセット封止部を形成すると共に当該側壁−ガセット封止部に沿って側壁及びガセット部の下端角部分を裁断することによる効果は、手提げ用具としての具体的な形態が上述の実施形態におけるものでなくても発揮される。
【００９３】
具体的には例えば図６に示す手提げ用具においても側壁及びガセット部の下端角部分を裁断することによる効果は発揮される。図６に示す手提げ用具２０は、正面と裏面とで対向する側壁部２２，２２と、これら対向する側壁部２２，２２それぞれの両側端と連接すると共に手提げ用具２０が折り畳まれた状態において対向する側壁部２２，２２（正面，裏面）に挟まれ且つ手提げ用具２０が拡げられた状態において側壁部２２，２２と連なって周壁の一部を構成する対向するガセット部２１，２１と、側壁部２２，２２の下端において対向する側壁部２２，２２のうちのガセット部２１，２１と重複していない部分を封止する熱融着などによる下端封止部２２ｂと、当該下端封止部２２ｂと対向する開口端２２ａと、両ガセット部２１，２１のそれぞれから連接して上方に延出する一対の把手部２３，２３と、これら把手部２３，２３それぞれの上端を封止する熱融着などによる上端封止部２３ａとを有し、さらに、側壁部２２，２２それぞれのガセット部２１が形成されている部分に側壁−ガセット封止部２２ｃが形成されていると共に当該側壁−ガセット封止部２２ｃに沿って側壁部２２及びガセット部２１の下端角部分２４が裁断されている。
【００９４】
図６に示す手提げ用具では、側壁−ガセット封止部２２ｃ，２２ｃの角度は、手提げ用具２０の正面視において、側壁部２２，２２の中間部分の横幅よりも下端の横幅の方が狭くなるように、言い換えると、両側の側壁−ガセット封止部２ｄ，２ｄによって上下逆ハの字になるように、アレンジされる。なお、ガセット部２１のガセット稜線方向（即ち、上下方向）に対する側壁−ガセット封止部２２ｃの角度は、図６に示す例では４５°であるようにしているが、４５°に限定されるものではなく、適宜調整されることが可能であり、具体的には例えば３０°〜６０°程度の範囲で適宜調整されることが可能である。
【００９５】
上述の図６に示す手提げ用具２０においても、ガセット部２１が形成されている部分に側壁−ガセット封止部２２ｃが形成されると共に当該側壁−ガセット封止部２２ｃに沿って側壁部２２及びガセット部２１の下端角部分２４が裁断されることにより、手提げ用具２０の材料使用量を節約することができると共に手提げ用具２０にかかる再商品化の実施委託料金を節約することができる。
【００９６】
また、手提げ用具２０のようにガセット部２１の山折り稜線２１ａの方向が上下方向であるときに側壁−ガセット封止部２２ｃが形成されない場合には、図７Ａに示すように、対向する側壁部３２，３２及び両ガセット部３１，３１の下端において側壁部３２の全幅に亘って側壁部３２，３２及びガセット部３１，３１の全てを一括して封止する下端封止部３２ｂが形成されることになる（なお、図７Ａにおいては、把手部を含む側壁部の上側部分は特定の形態に限定されないので図示を省略している。具体的には図６に示す手提げ用具２０の上側部分と同様の形態が考えられる）。しかしながら、山折り稜線３１ａの方向が上下方向であるガセット部３１を有するときに側壁部３２の全幅に亘る下端封止部３２ｂが形成される場合には、図７Ｂに示すように、内部に容器などを収容して持ち上げた使用状態において、対向する側壁部３２，３２及びこれらと連接するガセット部３１によって凹み３３（或いは、ポケット）が形成されて当該凹み３３が例えばドアレバーや自転車のハンドル・ブレーキレバーなどに引っ掛かり易い。そして、凹み３３が引っ掛かることにより、内部の収容物が傾斜・傾倒してしまったり、手提げ用具が破損したり、手提げ用具を掴んでいる手・腕が引っ張られて体勢を崩してしまったりなどするという問題がある。
【００９７】
これに対し、側壁−ガセット封止部が形成されると共に当該側壁−ガセット封止部に沿って側壁部及びガセット部の下端角部分が裁断される場合には（具体的には例えば図１乃至図５に示す手提げ用具１０や図６に示す手提げ用具２０）、対向する側壁部及びこれらと連接するガセット部によって凹み（或いは、ポケット）が形成されることがないので、上述の図７Ｂの例のような凹み３３が突起物等に引っ掛かることによる問題が回避される。
【００９８】
なお、図１乃至図５に示す例のようにガセット部１の山折り稜線１ａの方向が横方向である構成において側壁−ガセット封止部２ｄが形成されると共に当該側壁−ガセット封止部２ｄに沿って側壁部２及びガセット部１の下端角部分１４が裁断される場合も、また、図６に示す例のようにガセット部２１の山折り稜線２１ａの方向が上下方向である構成において側壁−ガセット封止部２２ｃが形成されると共に当該側壁−ガセット封止部２２ｃに沿って側壁部２２及びガセット部２１の角部分２４が裁断される場合も、把手部を含む側壁部の上側部分の構成は特定の構成には限定されない。また、ガセット部のガセット稜線方向に対する側壁−ガセット封止部の角度は、特定の角度に限定されるものではなく、例えば３０°〜６０°程度の範囲で適宜調整され得る。
【００９９】
また、図１７Ａに示すように、把手部３に貫通孔４３を設けるようにしても良い。これにより、手提げ用具１０の使用時に把手部３を掴んだ際に、図１７Ｂに示すように、貫通孔４３が設けられた位置で把手部３が折れ返され、把手部３全体が無秩序に折り畳まれる状態が回避され、手の中での収まりが改善されると共に見た目が良好になる。
【０１００】
なお、貫通孔４３の形状や個数は、特定の形や数に限定されないが、図１７Ａ，１７Ｂに示す例のように形状が真円や楕円形にされると共に把手部３のそれぞれに上下方向（即ち、ガセット稜線方向Ｘと直交する方向）に並べられて複数の貫通孔４３が設けられることが好ましい。また、貫通孔４３の位置は、手提げ用具１０を折り畳んだ状態の正面図での各把手部３の横方向における中央位置に設けられることが好ましい。
【符号の説明】
【０１０１】
１  ガセット部
１ａ  山折り稜線
２  側壁部
２ｃ  側壁封止部
２ｄ  側壁−ガセット封止部２ｄ，２ｄ
３  把手部
【図１】
2019151418.tif 000003
【図２Ａ】
2019151418.tif 000004
【図２Ｂ】
2019151418.tif 000005
【図３Ａ】
2019151418.tif 000006
【図３Ｂ】
2019151418.tif 000007
【図４】
2019151418.tif 000008
【図５】
2019151418.tif 000009
【図６】
2019151418.tif 000010
【図７Ａ】
2019151418.tif 000011
【図７Ｂ】
2019151418.tif 000012
【図８】
2019151418.tif 000013
【図９】
2019151418.tif 000014
【図１０Ａ】
2019151418.tif 000015
【図１０Ｂ】
2019151418.tif 000016
【図１１】
2019151418.tif 000017
【図１２Ａ】
2019151418.tif 000018
【図１２Ｂ】
2019151418.tif 000019
【図１３】
2019151418.tif 000020
【図１４】
2019151418.tif 000021
【図１５Ａ】
2019151418.tif 000022
【図１５Ｂ】
2019151418.tif 000023
【図１６】
2019151418.tif 000024
【図１７Ａ】
2019151418.tif 000025
【図１７Ｂ】
2019151418.tif 000026
【図１８】
2019151418.tif 000027
【図１９】
2019151418.tif 000028
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
対向する側壁部と、これら対向する側壁部それぞれの下端と連接すると共に折り畳まれた状態において前記対向する側壁部に挟まれ且つ拡げられた状態において底部を構成するガセット部と、前記対向する側壁部それぞれの上端から前記ガセット部の山折り稜線の方向Ｘと直交する方向に延出する一対の把手部と、前記対向する側壁部のうちの前記ガセット部の山折り稜線よりも下側部分の前記方向Ｘにおける両端部を封止する側壁−ガセット封止部と、前記対向する側壁部のうちの前記ガセット部の山折り稜線よりも上側部分の前記方向Ｘにおける両端部を封止する側壁封止部とを有し、前記折り畳まれた状態における前記ガセット部の折り返し長さＬgと前記両端部の側壁封止部間の長さＬ’との間に ４Ｌg＞Ｌ’の関係が成り立ち、前記ガセット部が拡げられて構成される前記底部の短辺の方向に沿って、使用者の手が前記一対の把手部それぞれの穴部に挿し入れられる方向と前記方向Ｘとが一致することを特徴とする手提げ用具。